(57)【要約】      （修正有）【課題】胸部に対して揉む、振動させる、マッサージ及び温湿布を行う等方式により、豊胸及びウエストサイズダウン効果を達成する豊胸兼ウエストサイズダウン装置を提供する。【解決手段】クッション体Ａ、及びクッション体Ａに設置する枕Ｂ、豊胸ユニットＣ及びウエストサイズダウンユニットＤからなり、豊胸ユニットＣは、台体１に２個の開口部を設け、開口部には複数の粒状突起を設けたカバー体１３を嵌めて設けると共にその裏側に揉動してマッサージを行う揉動パーツ、発熱パーツを設置する。ウエストサイズダウンユニットＤは、片体２に振動部品２２及び発熱パーツ２１、２２を設置すると共に両側にはそれぞれバンデージベルトを設置する。使用者はクッション体Ａにうつ伏せになって、胸部を豊胸ユニットＣの開口部に置き、バンデージベルトを腰部に装着して、胸部及び腰部に対してマッサージ及び温湿布を行う。【選択図】図１
0003182809.tif 000002
【実用新案登録請求の範囲】
【請求項１】
うつ伏せの姿勢で使用者を支持するクッション体、及び該クッション体に設置した枕、豊胸ユニット及びウエストサイズダウンユニットからなり、
該豊胸ユニットは、該クッション体上に設置した台体に２個の開口部を設置し、該開口部には、複数の粒状突起を形成した軟性材質によりなるカバー体をそれぞれ設置すると共に、該開口部裏側に揉動してマッサージを行う揉動パーツ及び発熱パーツを設置し、
該ウエストサイズダウンユニットは、腰部にあてがう片体に、振動部品及び発熱パーツを設置すると共にその両側には、それぞれバンデージベルトを設置し、
該クッション体にうつ伏せになった使用者の胸部を、該豊胸ユニットの開口部に置き、該ウエストサイズダウンユニットのバンデージベルトを腰部に装着することにより、胸部に対して揉み、マッサージ及び温湿布を行い、腰部に対して振動マッサージ及び温湿布を行うことを特徴とする豊胸兼ウエストサイズダウン装置。
【請求項２】
前記カバー体は、それぞれ定位筒に嵌めて、該定位筒を上記台体の開口部に嵌合して設置し、
該カバー体下方に揉動パーツ、振動部品、発熱パーツを設置したことを特徴とする請求項１に記載の豊胸兼ウエストサイズダウン装置。
【請求項３】
前記ウエストサイズダウンユニットは、腰部にあてがう片体上に設置した上記複数の振動部品及び発熱パーツを覆う上蓋を備えたことを特徴とする請求項１に記載の豊胸兼ウエストサイズダウン装置。
【考案の詳細な説明】
【技術分野】
【０００１】
本考案は、豊胸兼ウエストサイズダウン装置に関し、特に胸部及び腰部に対して揉む、振動させる、マッサージ及び温湿布を行う等の方式により、豊胸とウエストサイズダウンの効果を兼ね備える豊胸兼ウエストサイズダウン装置に関する。
【背景技術】
【０００２】
美しいプロポーションを手に入れることは、すべての女性の願望である。
しかしこれまでは、外科的豊胸手術によってしか、その目的を達成することはできなかった。
けれども、一般の女性は外科手術を受けることに抵抗感があるため、各種補助的方法が開発された。
それらには、薬、運動、或いは豊胸装置使用等があるが、どれも乳癌を誘発するなどの副作用があり、しかも豊胸効果がない等の欠点が存在する。
【０００３】
比較的良い方法としては、胸部及び腰部を適当に揉む、振動させる、マッサージ及び温湿布を行うという方法がある。
これによって、胸部の筋肉を増強することができ、しかも副作用がなく、ウエストサイズをダウンさせることができる。
本考案は、従来のこのような豊胸兼ウエストサイズダウン装置の特徴に鑑みてなされたものである。
【先行技術文献】
【特許文献】
【０００４】
【特許文献１】特開平０３−２９７４６６号公報
【考案の概要】
【考案が解決しようとする課題】
【０００５】
本考案が解決しようとする課題は、胸部に対して揉む、振動させる、マッサージ及び温湿布を行う等方式により、豊胸及びウエストサイズダウン効果を達成する豊胸兼ウエストサイズダウン装置を提供することである。
【課題を解決するための手段】
【０００６】
上記課題を解決するため、本考案は下記の豊胸兼ウエストサイズダウン装置を提供する。
豊胸兼ウエストサイズダウン装置は、クッション体、及び該クッション体に設置する枕、豊胸ユニット及びウエストサイズダウンユニットを備え、
該豊胸ユニットには、クッション体上に設置した台体に、２個の開口部を設置し、該開口部には、複数の粒状突起を形成したカバー体を設置し、
その裏側には、揉む、マッサージ及び発熱等のパーツを設置し、
該ウエストサイズダウンユニットには、腰部にあてがう片体を設置し、該片体には、振動及び発熱パーツを設置し、両側には、それぞれバンデージベルトを設置し、
これにより、使用者は、該クッション体にうつ伏せになり、その胸部を、該豊胸ユニットの開口部に置き、該ウエストサイズダウンユニットのバンデージベルトを、腰部に装着し、
胸部に対して揉み、振動させ、マッサージ及び温湿布を行うことで、豊胸とウエストサイズダウンの効果を達成することができる。
【考案の効果】
【０００７】
本考案の豊胸兼ウエストサイズダウン装置は、胸部に対して揉む、振動させる、マッサージ及び温湿布を行う等方式により、豊胸及びウエストサイズダウン効果を達成することができる。
【図面の簡単な説明】
【０００８】
【図１】本考案の全体立体図である。
【図２】本考案豊胸ユニットの立体分解図である。
【図３】本考案豊胸ユニットの立体図である。
【図４】本考案ウエストサイズダウンユニットの立体図である。
【図５】本考案ウエストサイズダウンユニットの立体分解図である。
【図６】本考案豊胸ユニットの構造図である。
【図７】本考案の使用実施例図である。
【考案を実施するための形態】
【０００９】
以下に図面を参照しながら本考案を実施するための最良の形態について詳細に説明する。
【実施例】
【００１０】
図１〜５は、本考案の全体立体図及び豊胸ユニット分解図、立体図、及びウエストサイズダウンユニット立体図、分解図である。
【００１１】
図に示すように、本考案は、クッション体Ａ、及び該クッション体Ａに設置する枕Ｂ、豊胸ユニットＣ及びウエストサイズダウンユニットＤからなる。
【００１２】
該豊胸ユニットＣには、台体１を設置し、該台体１には、２個の開口部１１を設置し、これに２個の定位筒１２を嵌めて設置する。
【００１３】
該定位筒１２には、軟性材質により製造し、概ね円形陥没状を呈する２個のカバー体１３をそれぞれ嵌めて設置する。
【００１４】
該カバー体１３には、複数の貫通孔１３１及び粒状突起１３２を設置し、該カバー体１３の下方には、揉動パーツ１４及び振動部品１５を設置する。
【００１５】
該揉動パーツ１４には、少なくとも５個の爪部品１４１を設置し、これら揉動パーツ１４及び振動部品１５は、底台１６に設置され、該底台１６後縁には、発熱パーツ１７を設置する。
【００１６】
該ウエストサイズダウンユニットＤは、片体２及び上蓋３を備え、該片体２には、複数の発熱パーツ２１及び振動部品２２を設置する。
【００１７】
これらにより、該各発熱パーツ２１及び振動部品２２は、それぞれ固定台２３、２４に設置され、後蓋２５、２６により蓋をされ、両側には、それぞれバンデージベルト２７を設置する。
【００１８】
上記した構成部材の組合せにより、豊胸ウエストサイズダウン装置を構成し、これにより使用者は、クッション体Ａにうつ伏せになり、頭部を枕Ｂに載せ、胸部は豊胸ユニットＣ開口部１１のカバー体１３内に置き、ウエストサイズダウンユニットＤのバンデージベルト２７を、腰部に装着する。
【００１９】
続いて、該揉動パーツ１４の爪部品１４１により胸部を揉み、該振動部品１５のマッサージ及び発熱パーツ１７により温湿布を行い、豊胸効果を達成する。
【００２０】
該ウエストサイズダウンユニットＤは、該振動部品２２により、腰部に対するマッサージを構成し、及び該発熱パーツ２１による温湿布により、ウエストサイズダウンの効果を達成する。
【００２１】
こうして、単一の豊胸ウエストサイズダウン装置により、豊胸とウエストサイズダウンを同時に実現し、プロポーションを良くする効果を達成することができる。
【００２２】
図６は、本考案豊胸ユニットの構造図である。
【００２３】
図に示すように、本考案の豊胸ユニットCは、少なくとも概ね円形陥没状を呈するカバー体１３、揉動パーツ１４及び振動部品１５、発熱パーツ１７を備える。
【００２４】
該カバー体１３には、複数の貫通孔１３１及び粒状突起１３２を設置する。
【００２５】
これにより、胸部を該カバー体１３に置くと、該揉動パーツ１４の爪部品１４１は、揉む動作を行い、該カバー体１３に設置する粒状突起１３２を対応させて揉む効果を高めることができる。
【００２６】
該振動部品１５は、振動マッサージの効果を生じ、該発熱パーツ１７の熱は、貫通孔１３１を通して胸部に対して温湿布を行い、豊胸効果を向上させることができる。
【００２７】
図７は、本考案の使用実施例図である。
【００２８】
図に示すように、使用者はクッション体Ａ上にうつ伏せになり、頭部を枕Ｂに載せ、胸部を豊胸ユニットＣ開口部１１のカバー体１３内に置き、ウエストサイズダウンユニットＤのバンデージベルト２７を、腰部に装着する。
【００２９】
続いて、該揉動パーツ１４の爪部品１４１により胸部を揉み、該振動部品１５によりマッサージを行い、該発熱パーツ１７により温湿布を行い、豊胸効果を達成する。
【００３０】
該ウエストサイズダウンユニットＤは、該振動部品２２により、腰部に対するマッサージを構成し、及び該発熱パーツ２１による温湿布により、ウエストサイズダウンの効果を達成する。
【００３１】
こうして、単一の豊胸兼ウエストサイズダウン装置により、豊胸とウエストサイズダウンの効果を実現し、プロポーションを良くする最良の効果を達成することができる。
【００３２】
本実施例の操作コントロール機能は、少なくとも以下を含む。
1.   
豊胸ユニットＣ揉動パーツ１４の力と揉む角度を設定でき、揉み方をより快適にできる。
2.   
豊胸ユニットＣ振動部品１５の振動の大きさ及び速度、及び発熱パーツ１７の温度を設定することができる。
3.   
ウエストサイズダウンユニットＤ振動部品２２の振動の大きさ及び速度、及び発熱パーツ２１の温度を設定することができる。
【００３３】
上記した設定及びコントロールにより、各ユニットの動作をそれぞれ最良の状態にすることができ、これにより豊胸、ウエストサイズダウン効果を、使用者のニーズに応じて設定し、最大の効果を発揮することができる。
【００３４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
Ａ  クッション体
Ｂ  枕
Ｃ  豊胸ユニット
Ｄ  ウエストサイズダウンユニット
１  台体
１１  開口部
１２  定位筒
１３  カバー体
１３１  貫通孔
１３２  粒状突起
１４  揉動パーツ
１４１  爪部品
１５  振動部品
１６  底台
１７  発熱パーツ
２  片体
２１  発熱パーツ
２２  振動部品
２３  固定台
２４  固定台
２５  後蓋
２６  後蓋
２７  バンデージベルト
３  上蓋
【図１】
0003182809.tif 000003
【図２】
0003182809.tif 000004
【図３】
0003182809.tif 000005
【図４】
0003182809.tif 000006
【図５】
0003182809.tif 000007
【図６】
0003182809.tif 000008
【図７】
0003182809.tif 000009